(57)【要約】【課題】大径直立管を調整された位置に安定して固定可能な三脚を提供する。【解決手段】縮小拡大脚組１と、大径直立管３と、しめ付け環４と、個定環５と位置調整環６とで組み合わせて構成される。三本の脚１２の頂端は上座台１０に枢接させ、又三本の脚１２の中段やや下の個所で連結棹を介して下座台を枢接して、三本の脚を自由に外と内に拡げたり縮めたりすることを可能とする。大径直立管３の下端は下座台１１の中心に固定されその上端は上座台１０の中心をつき抜けてから固定環５がそこにしめ付けられて固定される。固定環５のすぐ上に位置調整環６を一体に形成する。位置調整環６は小径直立管にはめ合わされて小径直立管３が大径直立管２の中で上下に移動してその位置が適当に調整されたあとボルトとナットで位置調整環を固く小径直立管３の外周にしめ付けて小径直立管３を調整された位置で安定的に固定可能とする。【選択図】図１
0003118043.tif 000002
【実用新案登録請求の範囲】
【請求項１】
縮小拡大脚組と、大径直立管と、小径直立管と、しめ付け環と、一個或いは複数の固定環と、前記固定環と同じ数の位置調整環とを組み合わせて構成される三脚であって、
前記縮小拡大脚組は、上座台と下座台と、前記上座台に上端が枢軸的に組み付けられその下端が前記下座台に枢軸的に組み付けられる複数の脚で構成され、
前記大径直立管は前記上座台の中はまり上下に滑動可能であり、下端は前記下座台の中に固定され、
前記小径直立管は前記大径直立管の上端開き口から中にさし込まれて上下に滑動可能であり、前記三脚の全体の高さが調整される様に構成され、
前記しめ付け環は前記上座台のすぐ上に連設され、前記大径直立管にはめ合わせられ、下端面の一側に凹み部を有し、前記凹み部の中心部から上端に向けて垂直の開き口を有し、その開き口の両側はカーブ状壁となり、更に開き口の両側から外の方に平行に伸び出る前挟み壁と後挟み壁を形成し、それら前挟み壁および後挟み壁の間には空間を形成して開き口と連通し、前挟み壁および後挟み壁はボルトを通らせるボルト孔を有し、ボルトが二つのボルト孔にさしこまれて調整ボタンとねじ合わされ、前記調整ボタンをボルトに固くしめ付けると前挟み壁および後挟み壁を圧迫して相互に接近して接触すると両カーブ状壁が縮小されて前記しめ付け環はその内径が縮小し前記大径直立管が固くしめ付けられ、
前記固定環は前記大径直立管の最上端にはめ付けられ、その一側の上段部にそれぞれ水平なスロットを有し、前記二つのスロットの中心部には垂直に設けられる開き口を有し、その開き口の両端はカーブ状壁となり、開き口の両側から外に伸びる平行な前挟み壁と後挟み壁を形成し、それら前挟み壁および後挟み壁はその間に開き口と連通する空間を限定し、前挟み壁および後挟み壁はボルト孔を有し、ボタン付きボルトが二つのボルト孔にさしこまれてからナットとねじ合わされ、前挟み壁および後挟み壁がボルトとナットに固くしめ付けられたら相互に接近して接触し、二つのカーブ状壁が縮小されて前記固定環はその内径が縮小し、前記大径直立管が固くしめ付けられ、
前記位置調整環は前記固定環のすぐ上に一体に形成され、前記小径直立管の外周にはめ合わせられ、その一側の下段部には水平にスロットの中心部から垂直に上方に伸びる開き口を有し、その開き口の両側はカーブ状壁となり、且つ開き口の両側から外に平行に伸びる前挟み壁と後挟み壁を形成し、それら前挟み壁および後挟み壁はボルト孔を持ち、握り頭付きボルトが両ボルト孔にさしこまれて、ナットとねじ合わされ、ボルトとナットが固くねじ合わされたら前挟み壁および後挟み壁は相互に接近し接触するので二つのカーブ状壁が縮小され、前記位置調整環の内径が縮小されて、前記小径直立管の移動を規制することを特徴とする三脚。
【請求項２】
前記しめ付け環の開き口と凹み部はＴ型溝を形成することを特徴とする請求項１記載の三脚。
【請求項３】
前記固定環の開き口は二つのスロットとＩ字形溝を形成することを特徴とする請求項１記載の三脚。
【請求項４】
位置調整環の開き口はスロットとＴ型溝を形成することを特徴とする請求項１記載の三脚。
【請求項５】
前記しめ付け環の前挟み壁のボルト孔は、その孔径が外側の方に向かって次第に大きく形成されていることを特徴とする請求項１記載の三脚。
【請求項６】
前記固定環の前挟み壁のボルト孔は、孔径が外側部分が内側部分より大きく形成されていることを特徴とする請求項１記載の三脚。
【請求項７】
前記位置調整環の前挟み壁のボルト孔径は、外側の方に向かって次第に大きくなっている様に形成されていることを特徴とする請求項１記載の三脚。
【請求項８】
前記しめ付け環はプラスチックで前記上座台と一体に形成されていることを特徴とする請求項１記載の三脚。
【請求項９】
前記固定環と前記位置調整環はプラスチックで一体に形成されていることを特徴とする請求項１記載の三脚。
【請求項１０】
前記固定環の二つのスロットの上下には、前後挟み壁の前面と後面を包囲するＵ字型蓋が設置されていることを特徴とする請求項１記載の三脚。
【考案の詳細な説明】
【技術分野】
【０００１】
本考案は、伸縮管の固定装置付きの三脚に関する。
【背景技術】
【０００２】
従来の三脚は大概一直立の大径管を縮小拡大できる三本の脚と組み付け、又更に一小径管を大径管の中に上下に伸縮できるようにして高さを調節できるように設置し、ボルトなどで小径管を大径管に締め付けたりゆるめたりしてその相互の位置を変更する。
【考案の開示】
【考案が解決しようとする課題】
【０００３】
しかしながら、上述の従来の三脚はそのしめ付けボルトで、大径管と小径管の表面が傷つけられて位置を調整した後にその垂点性が悪くなり、大径管と縮小拡大脚組或いは小径管とのかかり合いが不安定になり、位置固定の力が弱くなり、容易にしめ付けボルトがはずれる欠点がある。
【０００４】
したがって本考案の目的は大径直立管を調整された位置に安定して固定させることが可能な三脚を提供することにある。
【課題を解決するための手段】
【０００５】
上述の目的を達成するために本考案の請求項に記載の三脚は、縮小拡大脚組を三脚の脚と上座台と下座台で組み合わせて構成し、三本の脚の頂端は上座台に枢接させ、又三本の脚の中段やや下の個所で連結棹を介して下座台を枢接して、三本の脚を自由に外と内に拡げたり縮めたりすることを可能とする。次にカメラ等を上端に支える小径直立管を設けて大径直立管の中にさしこませて上下に移動可能とし、三脚全体の高さの調整を可能とする。大径直立管の下端は下座台の中心に固定されその上端は上座台の中心をつき抜けてから固定環がそこにしめ付けられて固定される。更に固定環のすぐ上に位置調整環を一体に形成する。位置調整環は小径直立管にはめ合わされて小径直立管が大径直立管の中で上下に移動してその位置が適当に調整されたあとボルトとナットで位置調整環を固く小径直立管の外周にしめ付けて小径直立管を調整された位置で安定的に固定可能とする。又更に上座台のすぐ上にしめ付け環を設定する。しめ付け環は大径直立管にはまり合ってボルトとナットでしめ付けて大径直立管の外周に固く固定され、大径直立管が上座台に対する位置を上下に移動して適当な個所に止められたらしめ付け環を固くしめ付けて大径直立管を調整された位置に固定させることが可能となるようにする。
【考案を実施するための最良の形態】
【０００６】
以下、本考案の実施例を図面に基づいて説明する。
本実施例による三脚は図１に示すように、縮小拡大脚組１と、大径直立管３と、しめ付け環４と、個定環５と位置調整環６とで組み合わせて構成される。
縮小拡大脚組１は上座台１０と下座台１１と、上座台１０と下座台１１と枢軸的に組み付けられる複数の脚１２とで組み合わせて構成され、複数の脚１２は中の方に縮められたり、外に引き拡げられたりし、更に上座台１０と下座台１１とは大径直立管２に固く固定される。
【０００７】
次に大径直立管２は上座台１０の中にはまり合って、上座台１０はそれに沿って上下に滑り移動可能である。下端は下座台１１と固く組み付けられ、複数の脚１２の上端は上座台１０と枢軸的に連結されているので、上座台１０が下方に圧されて移動すれば複数の脚１２はその下端が外の方におし出されて、縮小拡大脚組１は拡がった形になる。又反対に上座台１０が上に推し上げられたら、下端が皆中の方に縮められて、縮小拡大脚組１は縮小した形になる。又更に大径直立管２の上端は固定環５が固くしめ付けられている。
小径直立管３は大径直立管２の中にさしこまれて上下に滑り動き可能に設置され、位置調整環６でしめ付けてその位置を調整されたあとに固定する。
【０００８】
しめ付け環４は図２、図３、図４と図５に示すように上座台１０のすぐ上に大径直立管２にはめ付けられ、プラスチックで作られている。下端面に横向きのへこみ面４０を有し、更にこのへこみ面４０の中心部から上に向けて垂直に設置されている一開き口４１を有する。この開き口４１の両側はカーブ状壁４２、４３となり、これらのカーブ状壁４２、４３から外に伸びる平行の二つの挟み壁４４、４５を形成する。これらの前後の挟み壁４４、４５はその中心部にボルト孔４６、４７を有する。ボルト孔４６はその直径が外方向に次第に大きくなり又ボルト孔４７はその内側部が円形で外側部が四角のナット状を形成している。ボルト７がこれらのボルト孔４６、４７を通り抜けたあとメスねじ孔を有する調整ボタン７０とねじ合って、平行の前後挟み壁４４、４５を接近させて接触させる。よって、しめ付け環４は上座台１０を調整された位置に固定維持可能である。
【０００９】
更に固定環５は図６から図１０に示すように、大径直立管２の頂端にはめられているが、位置環６と一体にプラスチックで作られる。一側に水平に上部と下部にスロット５０と５０１を有する。これらのスロット５０、５０１の中心部を通り抜けて垂直な開き口５１が形成され、更に二つのスロット５０、５０１はＩ字型である。開き口５１の両側はカーブ状壁５２、５３となり、これらのカーブ状壁５２、５３から外に伸び出る平行な前挟み壁５４と後挟み壁５５を形成して開き口５１と連通する空間を限定する。更にこれらの前後挟み壁５４、５５はその中央部にボルト孔５６、５７を設け、これらのボルト孔５６、５７はその外側部にボルトの頭部又はナットがはまれる大径部を有する。
更に二つのスロット５０、５０１の上方と前後挟み壁５４、５５の外周にＵ字型蓋５８を設置して、前後挟み壁５４、５５が何かとぶつかっても破損しないようにする。
【００１０】
次に位置調整環６は図１０と図１１に示すように、固定環５と一体にその上に成形され、小径直立管３にはまり、プラスチックの材質で作り、その一側の下部に固定環５の二つのスロット５０、５０１と平行する個所に水平の横向きスロット６０を有する。更にこのスロット６０の中心部を通り抜ける垂直の開き口６１を有し、この開き口６１の両側はカーブ状壁６２、６３となる。これらのカーブ状壁６２、６３から外の方に平行の前後の挟み壁６４、６５を設置して開き口６１と連通する空間を限定している。前後挟み壁６４、６５はその中心部に一列に並ぶボルト孔６６、６７を有し、調整ボタン９を持つボルトがこれらのボルト孔６６、６７を通り抜けたあとナット９０とねじ合って前後挟み壁６４、６５をしめ付けたりゆるめたりすることが可能となる。
【００１１】
次に三脚の組み合わせ方法を説明する。先に図５に示すように、しめ付け環４を上座台１０の上に連設し、大径直立管２の外径にしめ付け間環４をはめ込み、ボルト７をボルト孔４７、４６にさしこんでから調整ボタン７０とねじ合わせて、二つのカーブ状壁４２、４３を接近させてしめ付け環４の内径を縮小させ、それで大径直立管２をしめ付けて固定する。調整ボタン７０をボルト７からゆるめれば、両挟み壁４４、４５がゆるんで外の方に移動し、二つのカーブ状壁４２、４３もゆるんでしめ付け環４は大径直立管２からゆるくなる。
【００１２】
続いて、図８に示すように、固定環５を大径直立管２の頂端にはめ付け、ボルト８をボルト孔５６、５７に差し込んでからナット８０とねじ合わせて前後挟み壁５４、５５をしめ付け合わせることが可能である。それで、カーブ状壁５２、５３は縮小して固定鎖５の内径も縮小するから固定環５が大径直立管２の外周を固くしめ付ける。しめ付けたあとは又ボルト８をナット８０からゆるめれば、固定環５も大径直立管２からゆるくなる。
【００１３】
次に位置調整環６を固定環５のすぐ上に連接し、小径直立管３の外周にはめ合わせ、調整ボタン９のボルト部をボルト孔６６、６７にさしこんでからナット９０とねじ合わせて二つの前後挟み壁６４、６５をしめ付け合わせると、位置調整管６の内径が縮小され、位置調整環６は小径直立管３の外周を固くしめ付けて小径直立管３のその位置で固定される。
【００１４】
本実施形態中のしめ付け環４と固定環５と位置調整環６は二つの挟み壁４４と４５、５４と５５、６４と６５をしめ付け合わせることにより、各大径直立管２と小径直立管３の位置を調整したあと安定してその調整位置に固定させることが可能である。
また、しめ付け環４と固定環５と位置調整環６はボルト孔４６と５６と６６とが皆外の開き口に向かって次第にその直径が大きくなっているのでボルト７、ボルト８と調整ボタン９のボルト部がそれらのボルト孔の中で偏移する余分の空間があるので、その中で確実に動くため、前後挟み壁４４と４５、５４と５５、６４と６５が確実にしめ付け合わせることが可能である。二つのカーブ状壁４２と４３、カーブ状壁５２と５３、カーブ状壁６２と６３も確実に連動して、しめ付け環４と固定環５と位置調整環６は皆正確に作動する。
【００１５】
更にしめ付け環４と固定環５と位置調整環６は皆弾性を持つプラスチックで作っているので、開き口４１、５１、６１と前後挟み壁４４と４５、５４と５５、６４と６５の設置により、ボルトのしめ付けに対応する弾性を充分に持っている。
【図面の簡単な説明】
【００１６】
【図１】本考案の実施例による三脚を示す正面図である。
【図２】本考案の実施例による三脚のしめ付け環の分解斜視図である。
【図３】本考案の実施例による三脚のしめ付け環の断面図である。
【図４】本考案の実施例による三脚のしめ付け環が組み合わされている状態の断面図である。
【図５】本考案の実施例による三脚のしめ付け環がしめ付けられている状態の断面図である。
【図６】本考案の実施例による三脚の固定環と位置調整環とが分解されている状態の斜視図である。
【図７】本考案の実施例による三脚の固定環の断面図である。
【図８】本考案の実施例による三脚の固定環が組み合わされている状態の断面図である。
【図９】本考案の実施例による三脚の固定環がしめ付けられている状態の断面図である。
【図１０】本考案の実施例による三脚の固定環が大下面管と小上面管に位置調整環で連結されている状態の側面図である。
【図１１】本考案の実施例による三脚の位置調整環の断面図である。
【符号の説明】
【００１７】
１  縮小拡大脚組、１０  上座台、１１  下座台、１２  脚、２  大径直立管、３  小径直立管、４  しめ付け環、４０  へこみ面、４１  開き口、４２  カーブ状壁、４３  カーブ状壁、４４  前挟み壁、４５  後挟み壁、４６  ボルト孔、４７  ボルト孔、５  固定環、５０  スロット、５０１  スロット、５１  開き口、５２  カーブ状壁、５３  カーブ状壁、５４  前挟み壁、５５  後挟み壁、５６  ボルト孔、５７  ボルト孔、５８  Ｕ字型蓋、６  位置調整環、６０  スロット、６１  開き口、６２  カーブ状壁、６３  カーブ状壁、６４  前挟み壁、６５  後挟み壁、６６  ボルト孔、６７  ボルト孔、７  ボルト、７０  調整ボタン、８  ボルト、８０  ナット、９  調整ボタン、９０  ナット
【図１】
0003118043.tif 000003
【図２】
0003118043.tif 000004
【図３】
0003118043.tif 000005
【図４】
0003118043.tif 000006
【図５】
0003118043.tif 000007
【図６】
0003118043.tif 000008
【図７】
0003118043.tif 000009
【図８】
0003118043.tif 000010
【図９】
0003118043.tif 000011
【図１０】
0003118043.tif 000012
【図１１】
0003118043.tif 000013